(57)【要約】      （修正有）【課題】ハンドルグリップの回転操作による水切り操作性が良好であり、しかも嵩張ることなくコンパクトな収納性を有するサラダスピナーを提供する。【解決手段】容器本体２と、水切りザル３と、外蓋４と、外蓋の中央に設けられた軸支孔に挿通される回転軸を有する従動歯車５と、従動歯車の回転軸に軸支されて外蓋による容器本体の閉塞に伴って水切りザルの上面に嵌着する回転内蓋６と、外蓋の上面に取り付けられて従動歯車に噛合する内歯車を有する駆動回転体７と、駆動回転体を回転させるハンドルグリップ８と、を有してサラダスピナーを構成する。さらに、ハンドルグリップが、倒伏・起立が可能に駆動回転体に取り付けられた長尺体であると共に、倒伏時には外蓋の上面に沿って倒伏する構成とし、外蓋の外径と、駆動回転体の外径と、ハンドルクリップの長さと、の関係を特定比率とする。【選択図】図１
0003181043.tif 000002
【実用新案登録請求の範囲】
【請求項１】
上面開口を有する容器本体と、
該容器本体内に回転可能且つ出し入れ可能に収容される水切りザルと、
前記容器本体の上面開口を閉塞する外蓋と、
該外蓋の中央に設けられた軸支孔に挿通される回転軸を有する従動歯車と、
該従動歯車の回転軸に軸支されて前記外蓋の下面に回転可能に取り付けられると共に前記外蓋による前記容器本体の上面開口の閉塞に伴って前記水切りザルの上面に嵌着する回転内蓋と、
前記外蓋の上面に回転可能に取り付けられると共に、前記従動歯車に噛合する内歯車を外周部の内側面に有する駆動回転体と、
該駆動回転体に取り付けられて該駆動回転体を回転させる際の持ち手となるハンドルグリップと、
を有して構成されるサラダスピナーにおいて、
前記ハンドルグリップが、倒伏・起立が可能に前記駆動回転体に取り付けられた長尺体であると共に、倒伏時には前記外蓋の上面に沿って倒伏する構成であり、
前記外蓋の外径と、前記駆動回転体の外径と、前記ハンドルクリップの長さと、の関係が下記構成（１）〜（４）の全てを充足する構成であること、
を特徴とするサラダスピナー。
［各部の構成の関係］
（１）駆動回転体の外径（Ｋ）とハンドルクリップの長さ（Ｈ）との和が、外蓋の外径（Ｓ）以下であること：Ｓ≧Ｋ＋Ｈ
（２）駆動回転体の外径（Ｋ）が、外蓋の外径（Ｓ）の２分の１以上であること：１／２Ｓ≦Ｋ
（３）ハンドルクリップの長さ（Ｈ）が、外蓋の外径（Ｓ）の３分の１以上であること：１／３Ｓ≦Ｈ
（４）ハンドルグリップの長さ（Ｈ）が、駆動回転体の外径（Ｋ）以下であること：Ｋ≧Ｈ
【請求項２】
前記外蓋の上面に、前記ハンドルグリップが倒伏した際に、該ハンドルグリップの倒伏時下面及び該倒伏時下面に連続する側面の少なくとも一部が収容されるハンドルグリップ収容凹部が設けられていることを特徴とする請求項１に記載のサラダスピナー。
【請求項３】
前記ハンドルグリップが倒伏した際に、該ハンドルグリップの少なくとも一部が前記ハンドルグリップ収容凹部に収容されることにより、前記駆動回転体の回転が規制される構成であることを特徴とする請求項２に記載のサラダスピナー。
【請求項４】
前記容器本体の底面に滑り止め手段が設けられている構成であることを特徴とする請求項１〜３のいずれかに記載のサラダスピナー。
【考案の詳細な説明】
【技術分野】
【０００１】
本考案はサラダスピナーに関し、詳しくは水洗した野菜類の水切りを効率的に行うことのできるサラダスピナーに関する。
【背景技術】
【０００２】
容器本体と該容器本体に収容した水切りザルとから成る二重構造であり、水洗した野菜類を水切りザルに収容し、この水切りザルを容器本体内において回転させることによって野菜類の水切りを遠心力により行うサラダスピナーが多々知られている。
【０００３】
容器本体に収容した水切りザルを回転させる構成としては、外蓋に配設された駆動回転体を該駆動回転体に取り付けられたハンドルグリップを回転操作することによって回転させると、前記駆動回転体に設けられた駆動歯車に噛合する従動歯車が回転し、この従動歯車の回転により該従動歯車に軸支された内蓋が回転し、この内蓋が上面に嵌着した水切りザルが供回り回転することになる（例えば、特許文献１及び２等参照）。
【先行技術文献】
【特許文献】
【０００４】
【特許文献１】特許３０６２５０３号
【特許文献２】特開２００８−２２０９４５号
【考案の概要】
【考案が解決しようとする課題】
【０００５】
特許文献１の技術は、ハンドルグリップが親指及び人差し指の２本乃至は中指を加えた３本で摘んで回転操作することにより水洗した野菜類の水切りを行う構成である。
【０００６】
しかしこの技術では、水洗した野菜類を扱うことによって濡れてしまった手指による操作は滑り易く、操作性が低いという問題点を有している。
【０００７】
特許文献２の技術は、容器本体の側方に突出するように配設した長尺体のハンドルグリップを回転操作することによって水洗した野菜類の水切りを行う構成である。
【０００８】
しかしこの技術では、長尺体のハンドルグリップの操作性は良好であるが、該ハンドグリップが嵩張るため台所における収納性の点で問題点を有している。
【０００９】
そこで本考案の課題は、ハンドルグリップの回転操作による水切り操作性が良好であり、しかも嵩張ることなくコンパクトな収納性を有するサラダスピナーを提供することにある。
【課題を解決するための手段】
【００１０】
上記課題を解決する本考案は下記構成を有する。
【００１１】
１．上面開口を有する容器本体と、
該容器本体内に回転可能且つ出し入れ可能に収容される水切りザルと、
前記容器本体の上面開口を閉塞する外蓋と、
該外蓋の中央に設けられた軸支孔に挿通される回転軸を有する従動歯車と、
該従動歯車の回転軸に軸支されて前記外蓋の下面に回転可能に取り付けられると共に前記外蓋による前記容器本体の上面開口の閉塞に伴って前記水切りザルの上面に嵌着する回転内蓋と、
前記外蓋の上面に回転可能に取り付けられると共に、前記従動歯車に噛合する内歯車を外周部の内側面に有する駆動回転体と、
該駆動回転体に取り付けられて該駆動回転体を回転させる際の持ち手となるハンドルグリップと、
を有して構成されるサラダスピナーにおいて、
前記ハンドルグリップが、倒伏・起立が可能に前記駆動回転体に取り付けられた長尺体であると共に、倒伏時には前記外蓋の上面に沿って倒伏する構成であり、
前記外蓋の外径と、前記駆動回転体の外径と、前記ハンドルクリップの長さと、の関係が下記構成（１）〜（４）の全てを充足する構成であること、
を特徴とするサラダスピナー。
［各部の構成の関係］
（１）駆動回転体の外径（Ｋ）とハンドルクリップの長さ（Ｈ）との和が、外蓋の外径（Ｓ）以下であること：Ｓ≧Ｋ＋Ｈ
（２）駆動回転体の外径（Ｋ）が、外蓋の外径（Ｓ）の２分の１以上であること：１／２Ｓ≦Ｋ
（３）ハンドルクリップの長さ（Ｈ）が、外蓋の外径（Ｓ）の３分の１以上であること：１／３Ｓ≦Ｈ
（４）ハンドルグリップの長さ（Ｈ）が、駆動回転体の外径（Ｋ）以下であること：Ｋ≧Ｈ
【００１２】
２．前記外蓋の上面に、前記ハンドルグリップが倒伏した際に、該ハンドルグリップの倒伏時下面及び該倒伏時下面に連続する側面の少なくとも一部が収容されるハンドルグリップ収容凹部が設けられていることを特徴とする上記１に記載のサラダスピナー。
【００１３】
３．前記ハンドルグリップが倒伏した際に、該ハンドルグリップの少なくとも一部が前記ハンドルグリップ収容凹部に収容されることにより、前記駆動回転体の回転が規制される構成であることを特徴とする上記２に記載のサラダスピナー。
【００１４】
４．前記容器本体の底面に滑り止め手段が設けられている構成であることを特徴とする上記１〜３のいずれかに記載のサラダスピナー。
【考案の効果】
【００１５】
請求項１に示す考案によれば、ハンドルグリップの回転操作による水切り操作性が良好であり、しかも嵩張ることなくコンパクトな収納性を有するサラダスピナーを提供することができる。
【００１６】
特に、ハンドルグリップの長さが外蓋の外径の３分の１以上であると共に、回転駆動体に起立可能に取り付けられているため、水切り操作時の回転操作性が良好であり、しかも収納時には、ハンドルグリップは外蓋の上面に沿って倒伏させてコンパクトに収納することができる。
【００１７】
請求項２に示す考案によれば、倒伏したハンドルグリップを外蓋の上面に収納することができるので、よりコンパクトに収納することができる。また、キッチングッズとしての審美性を向上させることができる。
【００１８】
請求項３に示す考案によれば、ハンドルグリップを倒伏した際のコンパクト化と共に、駆動回転体のストッパーとしての機能をも兼ね備えたものとすることができる。
【００１９】
請求項４に示す考案によれば、ハンドルグリップを回転操作した際のサラダスピナーの位置ズレを抑制することができるので、安定した状態で水切り操作を行うことができる。
【図面の簡単な説明】
【００２０】
【図１】本考案に係るサラダスピナーの一実施例を示す４面図（正面図、平面図、Ａ−Ａ断面図、正面図（水切り操作時））
【図２】図１に示すサラダスピナーの拡散分解斜視図
【図３】外蓋、従動歯車、回転内蓋、駆動回転体、ハンドルグリップの構成例を示す拡散分解斜視図（斜め上方からの斜視図）
【図４】外蓋、従動歯車、回転内蓋、駆動回転体、ハンドルグリップの構成例を示す拡散分解斜視図（斜め下方からの斜視図）
【考案を実施するための形態】
【００２１】
次に、添付の図面に従って本考案を詳細に説明する。
【００２２】
本考案に係るサラダスピナーは、容器本体と該容器本体に収容した水切りザルとから成る二重構造であり、水洗した野菜類を水切りザルに収容し、この水切りザルを容器本体内において回転させることによって野菜類の水切りを遠心力により行うものであり、
具体的な構成としては、図１〜図４に示す実施例では、
上面開口を有する容器本体２と、
該容器本体内に回転可能且つ出し入れ可能に収容される水切りザル３と、
前記容器本体２の上面開口を閉塞する外蓋４と、
該外蓋４の中央に設けられた軸支孔４１に挿通される回転軸５１を有する従動歯車５と、
該従動歯車５の回転軸５１に軸支されて前記外蓋４の下面に回転可能に取り付けられると共に前記外蓋４による前記容器本体２の上面開口の閉塞に伴って前記水切りザル３の上面に嵌着する回転内蓋６と、
前記外蓋４の上面に回転可能に取り付けられると共に、前記従動歯車５に噛合する内歯車７１を外周部の内側面に有する駆動回転体７と、
該駆動回転体７に取り付けられて該駆動回転体７を回転させる際の持ち手となるハンドルグリップ８と、
を有して構成されるサラダスピナー１において、
前記ハンドルグリップ８が、倒伏・起立が可能に前記駆動回転体７に取り付けられた長尺体であると共に、倒伏時には前記外蓋４の上面に沿って倒伏する構成であり、
前記外蓋４の外径と、前記駆動回転体７の外径と、前記ハンドルクリップ８の長さと、の関係が下記構成（１）〜（４）の全てを充足する構成であること、
を主構成とするものである。
【００２３】
外蓋４、駆動回転体７、ハンドルグリップ８の各部の構成の関係は下記の通りである。
［各部の構成の関係］
（１）駆動回転体７の外径（Ｋ）とハンドルクリップ８の長さ（Ｈ）との和が、外蓋４の外径（Ｓ）以下であること：Ｓ≧Ｋ＋Ｈ
（２）駆動回転体７の外径（Ｋ）が、外蓋４の外径（Ｓ）の２分の１以上であること：１／２Ｓ≦Ｋ
（３）ハンドルクリップ８の長さ（Ｈ）が、外蓋４の外径（Ｓ）の３分の１以上であること：１／３Ｓ≦Ｈ
（４）ハンドルグリップ８の長さ（Ｈ）が、駆動回転体７の外径（Ｋ）以下であること：Ｋ≧Ｈ
【００２４】
上記（１）構成によれば、収納時にコンパクト化するためにハンドルグリップ８を倒伏させた状態とした際に、倒伏させたハンドルグリップ８が外蓋４の外径（Ｓ）内に収めることができるので、収納時にハンドルグリップ８が外側に突出して収納の邪魔になったりすることがない。
【００２５】
また、上記（２）構成によれば、駆動回転体７の外径（Ｋ）が外蓋４の外径（Ｓ）の２分の１未満である構成に比して、より小さな力で必要充分な回転駆動力を得ることができ、停止状態から所望の回転速度・遠心力が得られるまでの回転に円滑且つ容易に上昇させることができる。
【００２６】
更に、上記（３）構成によれば、水切り操作に際して、手指等でハンドルグリップ８をしっかりと安定した状態で摘んだり掴んだりするのに必要充分な長さとなるので、野菜類の水洗によって濡れている手指であっても水切り操作を確実に行うことができる。
【００２７】
尚、上記（４）構成は、上記（１）構成〜（３）構成を充足させるための付随的な構成であり、当該（４）構成によってハンドルグリップ８の長さは必要充分な長さの範囲内に留めることができる。
【００２８】
上記のような各部の構成の関係（１）〜（４）の全てを充足させる構成とすることにより、ハンドルグリップ８の回転操作による水切り操作性が良好であり、しかも嵩張ることなくコンパクトな収納性を有するサラダスピナー１とすることができる。
【００２９】
以下、各構成部材について更に詳説する。
本発明のサラダスピナー１を構成する各構成部材の材質・色・形状等の基本的構成についてはこの種の公知公用のサラダスピナーと同様の構成を特別の例外なく採ることができる。
【００３０】
例えば、容器本体２は合成樹脂（又はガラス、耐熱ガラス等）等で形成されており、水切り状況を外部から容易に目視確認できるように透明であることが好ましい。また、容器本体２の内部底面の中央部には、水切りザル３を回転可能に支持するための回転支持突起２１が設けられている。
【００３１】
更に、容器本体２の底面には、水切り操作時に該容器本体２がキッチン台やテーブル等の作業台上において位置ズレを起こしたり動いてしまうのを防止するための滑り防止手段２２が設けられていることが好ましい。該滑り防止手段２２としては、この種のサラダスピナーの容器本体に取り付けられる公知公用の滑り防止手段を特別の制限なく設けることができ、例えば、合成ゴム又は天然ゴムやシリコン樹脂・ラテックス樹脂等の摩擦計数の高い素材から成る部材を適宜箇所に適宜個数を配設することが好ましく、本実施例のように小円盤状のものを等間隔に３個配設してもよいし、或いは容器本体２の底面と相似形のリング状乃至は円盤状のものを１個配設してもよい。
【００３２】
水切りザル３は、回転時に低負荷で回転できるように合成樹脂等で形成されており、内部に収容する水洗済みの野菜類等の水分を当該水切りザル３の外部へ放散できるように周壁部や底面等の大部分乃至は全面が網目３１で形成されている。また、水切りザル３の底面の中央部には、前記容器本体２内において回転可能に収容される際の回転支持凹部３２が設けられている。尚、水切りザル３は、本実施例の網目３１に限定されず、この種のサラダスピナーの水切りザルとして公知公用の構成のものを特別の制限なく用いることができ、網目３１に代えて多数のスリット・透孔等が形成された構成のもの等であってもよい。
【００３３】
外蓋４は、前述したように、従動歯車５、内歯車７１を有する駆動回転体７、ハンドルグリップ８、回転内蓋６を備えた構成を有し、図３及び図４に示すような構成を採ることにより、ハンドルグリップ８を手指で摘んで又は掴んで回転操作して駆動回転体７を回転させることによって、該駆動回転体７の内歯車７１に噛合する従動歯車５が回転し、この従動歯車５の回転によって、該従動歯車５に回転軸を介して取り付けられている回転内蓋６が回転し、該回転内蓋６に上面に嵌着された水切りザル３が回転する。そして、この水切りザル３の回転による遠心力によって、該水切りザル３内に収容された水洗済みの野菜類の水切りが行われることになる。
【００３４】
また外蓋４は、本実施例に示すように、その上面に前記ハンドルグリップ８が倒伏した際に、該ハンドルグリップ８の倒伏時下面及び該倒伏時下面に連続する側面の少なくとも一部が収容されるハンドルグリップ収容凹部４３が設けられていることが好ましく、かかる構成によれば、倒伏したハンドルグリップ８を外蓋４の上面に収納することができるので、よりコンパクトに収納することができる。また、キッチングッズとしての審美性を向上させることができる。
【００３５】
更に、該ハンドルグリップ収容凹部４３は、前記ハンドルグリップ８を倒伏して該ハンドルグリップ８の少なくとも一部を該ハンドルグリップ収容凹部４３に収容させることによって、前記駆動回転体７の回転を規制する構成とすることが好ましく、かかる構成によれば、ハンドルグリップ８を倒伏した際のコンパクト化と共に、駆動回転体７のストッパーとしての機能をも兼ね備えたものとすることができる。
【００３６】
回転内蓋６の中央には、従動歯車５の回転軸５１を接続するための軸固定孔６１が設けられている。また、回転内蓋６の周縁部は水切りザル３の上面に嵌着するための嵌着爪部６２が設けられており、本実施例では、該嵌着爪部６２が水切りザル３の上部と嵌着する構成になっているが、本考案は当該実施例に限定されず、嵌着爪部６２が水切りザル３の上面乃至は上面近傍部に掛止・係止・嵌合・挿通等によって嵌着する構成としてもよいし、或いは嵌着爪部６２を設けることなく回転内蓋６の周縁部が水切りザル３の上縁部に嵌着する構成としてもよい。
【００３７】
駆動回転体７は、前述したようにハンドルグリップ８の回転操作によって回転し、内歯車７１、従動歯車５、回転内蓋６を介して水切りザル３を回転させる構成であり、外蓋４に設けられた軸支孔４２に回転軸７２が軸支されている。
【００３８】
また、駆動回転体７には、ハンドルグリップ８を倒伏・起立可能に取り付けるためのハンドルグリップ取付部７３が設けられている。ハンドルグリップ取付部７３にハンドルグリップ８を倒伏・起立可能に取り付ける構成としては、本実施例に示すように、ハンドルグリップ８の根元部８１を関節様の球体状に形成し、ハンドルグリップ取付部７３を前記根元部８１の球体状の半分以上を包み込む関節受様の形状に形成する態様を挙げることができるが、本考案はかかる構成に限定されず、蝶番部材を用いたり、ネジ部材やピン部材を回動軸とする構成等とすることもできる。
【００３９】
ハンドルグリップ８は、その表面に滑り止め加工が施されていることが好ましい。滑り止め加工としては、ハンドルグリップ８の表面に梨地加工を施したり、複数の直線状又は交差状の凹条溝を形成したり、複数の直線状又は交差状の凸条模様を形成したり、或いは合成ゴム又は天然ゴムやシリコン樹脂・ラテックス樹脂等の摩擦計数の高い素材をハンドグリップ８の表面に配設すること等を挙げることができる。
【符号の説明】
【００４０】
１  サラダスピナー
２  容器本体
２１  回転支持突起
２２  滑り止め手段
３  水切りザル
３１  網目
３２  回転支持凹部
４  外蓋
４１  軸支孔
４２  軸支孔
４３  ハンドルグリップ収容凹部
５  従動歯車
５１  回転軸
６  回転内蓋
６１  軸固定孔
６２  嵌着爪部
７  駆動回転体
７１  内歯車
７２  回転軸
７３  ハンドルグリップ取付部
８  ハンドルグリップ
８１  根元部
【図１】
0003181043.tif 000003
【図２】
0003181043.tif 000004
【図３】
0003181043.tif 000005
【図４】
0003181043.tif 000006